(57)【要約】      （修正有）【課題】リモ−トスィッチのセッティングのみで可能なク−ル換気システムであり、平常時及び、特に夏期の涼気換気と総合的環境対策システムとして役立つようにする。【解決手段】従来の戸袋・雨戸に換えて取付けた、レイン＆サンル−フガ−ドソ−ラ−パネルと、吸排気換気ファンとをシステム化したものを装備し、連携稼動させる事により室内のク−ル換気を行うと共に、自然エネルギ−の活用を含めて省エネと環境対策を行う事が出来る。【選択図】図１
0003129522.tif 000002
【実用新案登録請求の範囲】
【請求項１】
ソ−ラ−パネル（太陽電池アレイ）を和・洋室・ビル窓等、従来の戸袋・雨戸の可能な範囲に取付けて、この発電電力を室内のク−ル換気等に活用し乍ら、その余剰分を蓄電電力としてパワ−コンデイショナ−へ蓄電する。尚、一般電源として利用する。
即ち、当該室の不使用時間帯には日照時間帯を主として戸締まり用としてソ−ラ−パネルを作動させる。これは、夏期には日射カバ−兼用ともなり且つ、エアコン機器、稼動時の冷・暖房時のロス（開口部、窓）軽減策となるのである。
尚、このレイン＆サンル−フガ−ドソ−ラ−は手動・自動リモコン操作を可能とさせる。
【請求項２】
和・洋風住宅の窓廻り及び、ビル等のサンル−フガ−ドソ−ラ−粋・補強材は、そのパネル効率を損なわないで、オリジナル・カラ−コ−ト等により建物と調和したデザイン＆カラ−コ−デネイトを行う事で住環境にも最善とするものである。
【請求項３】
上記のシステムと併せて、換気ファンとを組合せたク−ル換気システムを行う事でエコ環境となる。即ち、室内温度により稼動する、吸排気用換気ファンをスム−ズに連携稼動させる事で、夏期の日射時における遮光カバ−を兼用させ乍ら、商用電源を使用する事無く、リモコンのセッティング操作のみで、稼動可能なク−ル換気なのである。
これがレイン＆サンル−フガ−ドソ−ラ−システムである。
【考案の詳細な説明】
【技術分野】
【０００１】  本考案は、建物の窓外部に取付けた従来の戸袋・雨戸の替わりに、レイン＆サンル−フガ−ドソ−ラ−パネルと吸排気用ファン換気システムとを、組合わせてシステム化させた、自然エネルギ−利用によるエコク−ル換気に関するものである。
【背景技術】
【０００２】  建物の換気設備に付いては、商用電源から供給されるファンによる換気が殆どであり、概ね、室内に取付けたエアコン機器による冷暖房用・換気用のみであり、エコ対策として前記の機能に付いては、利用されていないのが現状なのである。
【考案の開示】
【考案が解決しようとする課題】
【０００３】  周知の通り建物の冷暖房用・換気用としては、室内に取付けたエアコン機器によるのみ大方使用されているが、室内の涼気換気に付いては、エコ環境保護の観点からも、自然のエネルギ−利用によるク−ル換気を行う事で、日射中においての室内温度を可能な限り、快適に確保維持する事が望まれるのである。従って、夏期の涼気及び、省エネ・住環境等総合的環境対策として前述の欠点を解決しようとするものである。
【課題を解決するための手段】
【０００４】  本考案は、従来型の雨戸を戸締まり用とするに留めず、日照時間中はサンル−フガ−ドとして、レイン＆サンル−フガ−ドソ−ラ−システムを装備する事でエアコン機器の冷気運転や暖気運転の効率化と同時に、太陽発電ソ−ラ−パネルを利用した、夏期の涼気エコ換気ファンの利用等の自然エネルギ−によるエコク−ル換気システムとするものである。即ち、従来の戸袋・雨戸の可能な範囲をサンル−フガ−ドソ−ラ−に装備する事により、太陽発電ソ−ラ−パネル電源による、吸排気用換気ファンシステムを稼動させ乍ら余剰分をパワ−コンディショナ−へ蓄電電力として活用する。尚、個別機能の夫々については、サンル−フ窓枠等の夫々にスライド機能・ロック機能を付し手動・自動リモコン操作等の開閉部分等をシステム化したものである。冷気・暖気・送風に付いてもこれを活用する事により、省エネ・環境対策にも最善となることにより問題点を解決している。
【考案の効果】
【０００５】  建物の従来の戸袋・雨戸に換えて取付けた、レイン＆サンル−フガ−ドソ−ラ−により夏期の日射バイザ−・冷・暖房時のロス（開口部、窓）軽減・盗難警報、ロック機構付・夜間、留守用心窓・暴風雨対策等と併わせて、自動リモコン開閉操作、商用電源を使用しないファン換気システムによりエコ環境と省エネク−ル換気は自然エネルギ−を最大限活用する事で上述の様に、本考案のシステムメリットを発揮する事が出来るのである。
【考案の実施するための最良の形態】
【０００６】  従来型の雨戸を戸締まり用とするに留めず、日照時間中はサンル−フガ−ド用を兼用し乍ら、ファン換気システムを装備する事で、エアコン機器の冷気運転や暖気運転の効率化と同時に、太陽発電ソ−ラ−パネルを利用した、夏期の涼気エコ換気ファンの利用等の自然エネルギ−によるエコク−ル換気システムとするものである。
即ち、従来の戸袋・雨戸の可能な範囲をサンル−フガ−ドソ−ラ−を装備する事により、太陽発電ソ−ラ−パネル電源による、吸排気用換気ファンシステムを稼動させ乍ら余剰分をパワ−コンデイショナ−へ蓄電電力として活用する。尚、個別機能の夫々についてはサンル−フ窓枠等の夫々にスライド機能・ロック機能を付し手動・自動リモコン操作等の開閉部分等をシステム化したものである。冷気・暖気・送風に付いてもこれを活用する事により、省エネ・環境対策にも最善となる。
【０００７】  和・洋風住宅・ビル等の窓廻りを可能な限りサンル−フガ−ドソ−ラ−として、その枠・補強材は、オリジナル・カラ−コ−ト等により建物と調和したデザイン＆カラ−コ−デネイトを行う事で住環境にも最善とするものである。
【０００８】  上記のシステムと併せて、換気ファンとを組合せたク−ル換気システムを行う事でエコ環境となる。即ち、室内温度により稼動する、吸排気用換気ファンをスム−ズに連携稼動させる事で、夏期の日射時における遮光カバ−を兼用させ乍ら、商用電源を使用する事無く、リモコンのセッティング操作のみて、稼動可能なク−ル換気なのである。
【実施例】
【０００９】  以下、添付図面に従って一実施例を説明する。１はパワ−コンデイショナ−、２はその配電函３はソ−ラ−発電パネルの固定戸袋部本体、４はソ−ラ−発電パネル雨戸部本体でスライド型サンル−フガ−ドとして開閉する、５は前述したパネル間の接続ケ−ブル配線【００１０】  ６は吸排気換氛ファン  ７はサンル−フガ−ド用レ−ルであり、８は左同の滑車、９は左同のサンル−フガ−ド枠と１１補強材であり、裏面を１０断熱材で貼り合わせる。【００１１】  本考案の一実施例は上述の如き構成からなるものであるから、戸袋・雨戸本体即ち、３・４ソ−ラ−発電パネルとして用いる事は勿論であるが、戸締まり状況に合わせて、自動的にソ−ラ−回路がセッティング出来る
【図面の簡単な説明】
【００１２】
【図１】  本考案の戸袋・雨戸即ちレイン＆サンル−フガ−ドの一実施例を示す正面図である。
【図２】  本考案の上述の断面図である。
【図３】  本レイン＆サンル−フガ−ドの補強材表面・裏面例。
【図４】  本レイン＆サンル−フガ−ドの補強材表面・裏面例・ソ−ラ−発電パネル及びパネル裏面断熱材とその断面図である。
【符号の説明】
【００１３】
0003129522.tif 000003
１    接続箱
パワ−コンディショナ−
２    配電函
３    ソ−ラ−発電パネル（固定）表面
４    ソ−ラ−発電パネル（スライド型）表面
５    ソ−ラ−発電パネルケ−ブル配線
６    換気ファン（吸気・排気）
７    サンル−フガ−ド  レ−ル
８    サンル−フガ−ド  レ−ル  滑車
９    サンル−フガ−ドソ−ラ−  枠
１０    サンル−フガ−ド裏面  断熱材
１１    サンル−フガ−ド枠補強材  表面・裏面例
【図１】
0003129522.tif 000004
【図２】
0003129522.tif 000005
【図３】
0003129522.tif 000006
【図４】
0003129522.tif 000007
【手続補正書】
【提出日】平成18年10月30日(2006.10.30)
【手続補正１】
【補正対象書類名】実用新案登録請求の範囲
【補正対象項目名】全文
【補正方法】変更
【補正の内容】
【実用新案登録請求の範囲】
【請求項１】
太陽電池アレイよりなるソーラーパネルを和・洋室・ビル窓等の戸袋及び雨戸外部表面に貼付けるかたちで可能な範囲に取付けるもので、この発電電力を室内のクール換気等に活用し乍ら、なお且つその余剰発電分を蓄電電力としてパワーコンデイショナーへ蓄電するようにし、此れと屋側に設けた吸・排気クールファンとを組み合わせた換気システムにおいて、
（１）固定戸袋と雨戸の外部表面に太陽電池アレイよりなるソーラーパネルを接合・嵌め込みを行い、裏面は充分な補強材と断熱材により軽量化に製作する、
（２）固定戸袋と可動する雨戸に夫々電気的な摺導部を装着しソーラーによる発電電力を連繋するようにする、
（３）前記（１）の室内に設けた吸・排気クールファンとを連携させる換気システムを装着し手動・自動リモコン操作とする、
（４）前記（１）の表面となるソーラーパネルのバック面・枠等はオリジナルカラーコート等により建物と調和したデザインとして建物と調和を図るよう製作する、
（５）このソーラー付雨戸は日照時間帯の日射防止と且つ、エアコン機器稼動時のロス軽減策の為にこのシステムをタイマーと太陽光センサーにより自動開開する自動機能を組込む、
以上の構成からなるレイン＆サンルーフガードソーラーシステム。
【手続補正２】
【補正対象書類名】明細書
【補正対象項目名】全文
【補正方法】変更
【補正の内容】
【考案の詳細な説明】
【技術分野】
【０００１】  本考案は、建物の窓外部に取付けた従来の戸袋・雨戸の替わりに、レイン＆サンルーフガードソーラーパネルと吸排気用ファン換気システムとを、組合わせてシステム化させた、自然エネルギー利用によるエコクール換気に関するものである。
【背景技術】
【０００２】  建物の換気設備に付いては、商用電源から供給されるファンによる換気が殆どであり、概ね、室内に取付けたエアコン機器による冷暖房用・換気用のみであり、エコ対策として前記の機能に付いては、利用されていないのが現状なのである。
【考案の開示】
【考案が解決しようとする課題】
【０００３】  周知の通り建物の冷暖房用・換気用としては、室内に取付けたエアコン機器によるのみ大方使用されているが、室内の涼気換気に付いては、エコ環境保護の観点からも、自然のエネルギー利用によるクール換気を行う事で、日射中においての室内温度を可能な限り、快適に確保維持する事が望まれるのである。従って、夏期の涼気及び、省エネ・住環境等総合的環境対策として前述の欠点を解決しようとするものである。
【課題を解決するための手段】
【０００４】  本考案は、従来型の雨戸を戸締まり用とするに留めず、日照時間中はサンルーフガードとして、レイン＆サンルーフガードソーラーシステムを装備する事でエアコン機器の冷気運転ゃ暖気運転の効率化と同時に、太陽発電ソーラーパネルを利用した、夏期の涼気エコ換気ファンの利用等の自然エネルギーによるエコクール換気システムとするものである。即ち、従来の戸袋・雨戸の可能な範囲をサンルーフガードソーラーに装備する事により、太陽発電ソーラーパネル電源による、吸排気用換気ファンシステムを稼動させ乍ら余剰分をパワーコンデイショナーへ蓄電電力として活用する。尚、個別機能の夫々については、サンルーフ窓枠等の夫々にスライド機能・ロック機能を付し手動・自動リモコン操作等の開閉部分等をシステム化したものである。冷気・暖気・送風に付いてもこれを活用する事により、省エネ・環境対策にも最善となることにより問題点を解決している。
【考案の効果】
【０００５】  建物の従来の戸袋・雨戸に換えて取付けた、レイン＆サンルーフガードソーラーにより夏期の日射バイザー・冷・暖房時のロス（開口部、窓）軽減・盗難警報、ロック機構付・夜間、留守用心窓・暴風雨対策等と併わせて、自動リモコン開閉操作、商用電源を使用しないファン換気システムによりエコ環境と省エネクール換気は自然エネルギーを最大限活用する事で上述の様に、本考案のシステムメリットを発揮する事が出来るのである。
【考案の実施するための最良の形態】
【０００６】  従来型の雨戸を戸締まり用とするに留めず、日照時間中はサンルーフガード用を兼用し乍ら、ファン換気システムを装備する事で、エアコン機器の冷気運転ゃ暖気運転の効率化と同時に、太陽発電ソーラーパネルを利用した、夏期の涼気エコ換気ファンの利用等の自然エネルギーによるエコクール換気システムとするものである、
即ち、従来の戸袋・雨戸の可能な範囲をサンルーフガードソーラーを装備する事により、太陽発電ソーラーパネル電源による、吸排気用換気ファンシステムを稼動させ乍ら余剰分をパワーコンデイショナーへ蓄電電力として活用する。尚、個別機能の夫々については、サンルーフ窓枠等の夫々にスライド機能・ロック機能を付し手動・自動リモコン操作等の開閉部分等をシステム化したものである、冷気・暖気・送風に付いてもこれを活用する事により、省エネ・環境対策にも最善となる。
【０００７】  和・洋風住宅・ビル等の窓廻りを可能な限りサンルーフガードソーラーとして、その枠・補強材は、オリジナル・カラーコート等により建物と調和したデザイン＆カラーコーデネイトを行う事で住環境にも最善とするものである。
【０００８】  上記のシステムと併せて、換気ファンとを組合せたクール換気システムを行う事でエコ環境となる、即ち、室内温度により稼動する、吸排気用換気ファンをスムーズに連携稼動させる事で、夏期の日射時における遮光カバーを兼用させ乍ら、商用電源を使用する事無く、リモコンのセッティング操作のみで、稼動可能なクール換気なのである。
【実施例】
【０００９】  以下、添付図面に従って一実施例を説明する。
１はパワーコンデイショナー、接続箱でありスペースに設置する、
２は配電函でありスペースに設置する、
３は固定戸袋部本体へソーラー発電パネルを貼り付ける形で装備する、
４は可動する雨戸部本体でソーラー発電パネルを貼り付ける形で装備する即ちスライド型サンルーフガードとして開閉する、
５は前述したパネル間の接続ケーブル配線・接続箱との接続を開閉に合わせて行う、
６は吸排気換気ファンでありソーラー発電を利用した換気システムと連動させる、
７はサンルーフガード用レールであり、８は左同の滑車
９は左同のサンルーフガード枠        １０は裏面を断熱材で貼り合わせる、
１１は補強材である、【００１０】  本考案の一実施例は上述の如き構成からなるものであるから、戸袋・雨戸本体即ち、３・４はソーラー発電パネルとして用いる事は勿論であるが、戸締まり状況に合わせて、自動的にソーラー回路がセッティング出来る。
【図面の簡単な説明】
【００１１】
【図１】  本考案の戸袋・雨戸即ちレイン＆サンルーフガードの一実施例を示す正面図である。
【図２】  本考案の上述の断面図である。
【図３】  本レイン＆サンルーフガードの補強材表面・裏面例・
【図４】  本レイン＆サンルーフガードの補強材表面・裏面例・ソーラー発電パネル及びパネル裏面断熱材とその断面図である。
【符号の説明】
【００１２】
0003129522.tif 000008
２    配電函
３    固定したソーラー発電パネル      表面
４    スライド型のソーラー発電パネル  表面
５    ソーラー発電パネルケーブル配線
６    吸気・排気用の換気ファン
７    サンルーフガード  レール
８    サンルーフガード  レール  滑車
９    サンルーフガードソーラー  枠
１０    サンルーフガード裏面  断熱村
１１    サンルーフガード枠補強材  表面・裏面例